(57)【特許請求の範囲】
【請求項１】
操作レバーの回動操作により作業部の調節を行う操作レバーの係止装置において、上記操作レバーの基部をコ字状ブラケットで構成し、該コ字状ブラケットの機枠側に丸孔を、他側に操作レバーの機体幅方向への揺動を許容する長孔を夫々穿設し、該丸孔及び長孔を介して操作レバーを機枠に設けたレバー支持ピンに回動可能に嵌合すると共に、上記操作レバーの先端側には、上記操作レバーの調節回動を案内する回動案内溝と、該回動案内溝に直交して複数設けた設定溝とを有して上記作業部の調節度合いを設定するレバーガイドを設け、前記操作レバーの設定溝方向への最大移動距離を、操作レバーの回動操作時における、コ字状ブラケットのレバー支持ピンに接する外端とレバー支持ピン先端との距離よりも小さく設定し、前記コ字状ブラケットの頂部と前記レバー支持ピンとの間に、前記操作レバーを前記レバーガイドの設定溝側に付勢する弾機を張設したことを特徴とする、操作レバーの係止装置。
【請求項２】
前記コ字状ブラケット内にワイヤ支持ピンを突設し、該ワイヤ支持ピンにインナーワイヤの先端を掛着する一方、アウターワイヤの支持位置を、インナーワイヤのワイヤ支持ピンへの掛着部に対してワイヤ支持ピンの基部側に偏位させて、前記操作レバーの回動操作により、インナーワイヤを動作させて、作業部の調節を行うことを特徴とする請求項１に記載の操作レバーの係止装置。
【発明の詳細な説明】
【０００１】
【発明の属する技術分野】
本発明は、操作レバーの回動操作により、作業部の調節を行う操作レバーの係止装置に関する。
【０００２】
【従来の技術】
従来、この種の操作レバーの係止装置においては、操作レバーの基端側を、機枠に設けた支持ピンを支点として回動するブラケットの頂部に溶接してこれと一体状に設けると共に、上記ブラケットに、インナーワイヤの先端掛着用のピンを突設する一方、上記操作レバーの先端側には、上記作業部の調節度合いを設定するレバーガイドを設けたものは知られている。しかしながら、このものは上記操作レバーやインナーワイヤの抜けを防止するために、上記支持ピンの先端側及びインナーワイヤの先端掛着用のピンの先端側に、夫々割りピンやスナップピン及びワッシャ等を別途用いており、且つ、上記支持ピンやピン側にも割りピン等の取付けをするための加工工程を施していたので、部品点数は元より、これらの加工や組立等の工数においてコスト高となっていた。
【０００３】
【発明が解決しようとする課題】
そこで、本発明は、操作レバーの係止装置において、操作レバーやインナーワイヤの抜けを防止するためのピン等の部材を何ら必要とせず、部品点数や加工及び組立のための工数を削減して、全体的にコストダウンを可能として、上記従来の欠点を解消したものである。
【０００４】
【課題を解決するための手段】
上記目的を達成するため、本発明においては、操作レバーの回動操作により作業部の調節を行う操作レバーの係止装置において、上記操作レバーの基部をコ字状ブラケットで構成し、該コ字状ブラケットの機枠側に丸孔を、他側に操作レバーの機体幅方向への揺動を許容する長孔を夫々穿設し、該丸孔及び長孔を介して操作レバーを機枠に設けたレバー支持ピンに回動可能に嵌合すると共に、上記操作レバーの先端側には、上記操作レバーの調節回動を案内する回動案内溝と、該回動案内溝に直交して複数設けた設定溝とを有して上記作業部の調節度合いを設定するレバーガイドを設け、前記操作レバーの設定溝方向への最大移動距離を、操作レバーの回動操作時における、コ字状ブラケットのレバー支持ピンに接する外端とレバー支持ピン先端との距離よりも小さく設定し、前記コ字状ブラケットの頂部と前記レバー支持ピンとの間に、前記操作レバーを前記レバーガイドの設定溝側に付勢する弾機を張設したことを第１の特徴とする。
【０００５】
又、前記コ字状ブラケット内にワイヤ支持ピンを突設し、該ワイヤ支持ピンにインナーワイヤの先端を掛着する一方、アウターワイヤの支持位置を、インナーワイヤのワイヤ支持ピンへの掛着部に対してワイヤ支持ピンの基部側に偏位させて、前記操作レバーの回動操作により、インナーワイヤを動作させて、作業部の調節を行うことを第２の特徴とする。
【０００７】
【発明の実施の形態】
本発明の実施の形態の一例を以下図面に基づいて説明する。図１は本願発明装置を備えた乗用田植機の全体平面図であって、通常の田植機と同様に、１は前後に夫々一対の車輪を備え、後部に田植装置２を装着した走行機体であって、該走行機体１の前部にはエンジンを内装したボンネット３、機体１の左右に張り出して設けた補助苗載台４，４、運転操作用のハンドル５等を配置し、中央部には座席６を挟んで油圧感度調節用の操作レバー７、苗植付レバー８等を、また、後部に備えた上記田植装置２には、複数条に仕切られた苗載台９，エプロン１０，複数の植付フレーム１１・，苗植付装置１２・・及びそれらの下方に設けたフロート１３・・等が備えられている。
なお、１４，１４は機体１の前部左右に設けたステップマット、１５は左右のブレーキペダル、１６はクラッチペダル、１７は運転者用の左右に跨がる広いステップであり、１８，１８は走行機体１への昇降用ステップ、更に、１９，１９は苗補給等の際に使用する後部ステップである。
【０００８】
次に、図２乃至４は、夫々要部の正面図，平面図，側面図であって、前記操作レバー７は、その基端側を図２，図３に示す如く中途部で略直角形状に折り曲げて、機枠２１より立設したレバー支持ピン２２を支点として回動自在なコ字状ブラケット２３の片側中途部２４を貫通して溶接等によりこれと一体的に構成されている。従って、図４の側面図で見ると、上記操作レバー７を矢印方向に回動操作することにより、操作レバー７はレバー支持ピン２２を回動支点として、コ字状ブラケット２３と一体的に回動するものである。
【０００９】
また、上記コ字状ブラケット２３のレバー支持ピン２２との嵌合は、機枠２１側は単なる丸孔２５で、レバー支持ピン２２に嵌入支持されるが、操作レバー７の上記貫通側は縦長の長孔２６（図４参照）となっており、操作レバー７の機体幅方向への揺動を許容している。
一方、２８は操作レバー７の調節回動を案内する回動案内溝３６と、該回動案内溝３６に直交して複数設けた設定溝２９とを有し、上記作業部の調節度合いを設定するレバーガイドであり、コ字状ブラケット２３の頂部に設けた孔２７とレバー支持ピン２２との間に張設された戻しスプリング３０の付勢力により、操作レバー７が、その操作側において、前記設定溝２９・・側に掛止されるようになっている。（図３の状態）
【００１０】
ここで、操作レバー７の前記設定溝２９・・方向への最大移動距離をＡとし、操作レバー７の回動操作時における、コ字状ブラケット２３の支持ピン２２に嵌合する外端と支持ピン先端２２ａとの距離をＢとすると、両者の距離の関係はＢ＞Ａとなるように設定されている。
従って、操作レバー７を移動させて、設定掛止位置を変更すべく、任意の溝２９に変えてもＢ＞Ａとなっているので、コ字状ブラケット２３が支持ピン２２から外れるようなことがなく、従来装置の如く、別途ピン等の抜け止め用部材を支持ピン２２上に設ける必要がなくなって、部品点数の削減や支持ピン２２への加工や組立の工数等が削減出来、全体的にコストダウンとなるものである。
【００１１】
更に、上記コ字状ブラケット２３内に設けた操作レバー７の貫通部はワイヤ支持ピン２０となっており、インナーワイヤ３１が取付具３２を介して装着されている。３３はアウターワイヤであり、３４は支持パイプ３５に装着したアウター受けである。
従って、前記操作レバー７を図４の矢印方向、即ちレバーガイド２８の縦溝３６に沿う縦方向に操作すると、インナーワイヤ３１がアウターワイヤ３３に対して押引き動作し、これにより図示していない作業部の調節（本実施例では油圧感度調節）が行われるものである。
【００１２】
そして、図３の平面図で見て、インナーワイヤ３１の先端掛着部は、アウターワイヤ３３の取付部位に対して操作レバー７への取付位置を機枠２１側に若干近づけて取付けてある。即ち、言い換えれば、インナーワイヤ３１の中心に対してアウターワイヤ３３の取付位置を、インナーワイヤ３１がワイヤ支持ピン２０から抜け難いワイヤ支持ピン２０の基部側に若干偏位させ、しかもコ字状ブラケット２３内で取付けているので、ブラケットの外方に立設したピン上で、インナーワイヤの取付中心とアウターワイヤの取付位置とを同一直線上に設けていた従来装置と違い、別途ワイヤの抜け止め対策を何ら必要としないものである。
なお、３７はカバーである。
【００１３】
更にまた、図２の正面から見て、上記戻しスプリング３０を、上記コ字状ブラケット２３内におけるワイヤ支持ピン２０の先端側に近づけて、且つ図４の側面から見て、該ワイヤ支持ピン２０の軸端を覆うように張設しているので、戻しスプリング３０のコイル外径が上記インナーワイヤ３１の近くに存在することとなり、この構成によっても上記ワイヤの抜け止め効果を助長するものである。
【００１４】
次に、図５に示すものは、乗用田植機本機側の要部の正面図であって、通常は左右の前輪３８，３８の位置がフロア３９の下に隠れているため、田植機の運搬車への積み込みや積み降ろしの際、又は、ブリッジを使用して圃場に出入りするような場合においては、車輪がブリッジから脱輪しないように細心の注意を払う必要があった。
そこで、このものでは前輪３８，３８の真上のフロア３９上にタイヤトレッドの分かる左右の突起４０，４０を設け、安全面で寄与すると共に、その突起４０をフロア３９上で苗補給等の作業時の滑り止めとしている。
なお、上記突起４０は、左右の前部ステップマット１４，１４を前輪３８の真上に延設して、該ステップマット１４，１４に一体状に設けて前輪位置の指標兼滑り止めとしても良い。
【００１５】
本発明の操作レバーの係止装置を備えた田植機は、以上のような構成よりなっており、田植作業を開始するに際し、先ず、走行機体１の前方にある補助苗載台４，４及び後方にある苗載台９上にマット苗を載置して、圃場内で各部を駆動させ苗の植付作業を行う。この際、圃場の硬軟等の条件に応じて、田植装置２の下部に設けたフロート１３・・の姿勢を調節して油圧感度の調節を行い、田植装置２の適正な田面追従を得ようとするものであるが、予め設定した操作レバー７のレバーガイド２８位置では作業に適さず、フロート１３が沈下して泥を押したり、逆にフロート１３が田面から浮きぎみの時には、操作レバー７を把持して、当初設定した溝２９からの掛止を外し、縦溝３６に沿って、前後に回動操作して、フロート１３・・の姿勢を調節することでフロート１３・・が一定の沈下量で植付走行ができるように油圧感度を調節して、常に適切な状態で作業を行うものである。
【００１６】
ここで、上記操作レバー７の調節操作において、操作レバー７の前記設定溝２９・・方向への最大移動距離Ａは、操作レバー７の回動操作時における、コ字状ブラケット２３のレバー支持ピン２２に接する外端と支持ピン先端２２ａとの距離Ｂよりも小さく設定し、レバー支持ピン２２の長さを、上記操作レバー７の前記レバーガイド２８の設定溝２９方向への移動よって上記操作レバー７の基部が上記レバー支持ピン２２から抜け出ない長さに設定したので、上記操作レバー７を操作して別の溝２９に掛止しても、レバー抜けが発生するようなことはなく、操作レバー７抜け止めのために、レバー支持ピン２２に割りピン等の対策をする必要は一切ない。
しかも操作レバー７をその基端部をコ字状ブラケット２３の片側中途部２４を貫通してワイヤ支持ピン２０とし、該ワイヤ支持ピン２０へのインナーワイヤ３１の掛着をコ字状ブラケット２３内で行うように構成し、アウターワイヤ３３の支持位置を、インナーワイヤ３１のワイヤ支持ピン２０への掛着部に対してワイヤ支持ピン２０の基部側に偏位させたこと、及びコ字状ブラケット２３内おけるワイヤ支持ピンの先端開放側に、上記操作レバー７の操作側を前記レバーガイド２８の設定溝２９側に付勢する戻しスプリング３０を張設したことにより、別途上記インナーワイヤ３１の抜け止め対策を必要としないものである。
なお、本願における操作レバー７は、作業部として田植機の油圧感度調節を行う例を示したが、本願はこれに限らず、類似のガイド構成やワイヤ取付構成及びワイヤの構成を有するもの全般に広く応用出来るものである。
【００１７】
【発明の効果】
本発明は、前記の如く、操作レバー７の回動操作により作業部の調節を行う操作レバーの係止装置において、上記操作レバー７の基部をコ字状ブラケット２３で構成し、該コ字状ブラケット２３の機枠側に丸孔２５を、他側に操作レバー７の機体幅方向への揺動を許容する長孔２６を夫々穿設し、該丸孔２５及び長孔２６を介して操作レバー７を機枠に設けたレバー支持ピン２２に回動可能に嵌合すると共に、上記操作レバー７の先端側には、上記操作レバー７の調節回動を案内する回動案内溝３６と、該回動案内溝３６に直交して複数設けた設定溝２９とを有して上記作業部の調節度合いを設定するレバーガイド２８を
設け、前記操作レバー７の設定溝２９方向への最大移動距離Ａを、操作レバー７の回動操作時における、コ字状ブラケット２３のレバー支持ピン２２に接する外端とレバー支持ピン先端２２ａとの距離Ｂよりも小さく設定し、前記コ字状ブラケット２３の頂部と前記レバー支持ピン２２との間に、前記操作レバー７を前記レバーガイド２８の設定溝２９側に付勢する弾機３０を張設したので、操作レバー７の抜けを防止するために、レバー支持ピン２２に割りピン等の対策をする必要は一切なくなり、従来装置の如く割りピンやスナップピン及びワッシャ等の部品を必要とせず、部品点数が削減できるばかりか、抜け防止のための軸側の加工やこれらの組立に要する工数の削減ができるため、全体的にコストダウンを図ることができるものである。
【００１８】
また、前記コ字状ブラケット２３にワイヤ支持ピン２０を突設し、該ワイヤ支持ピン２０にインナーワイヤ３１の先端を掛着する一方、アウターワイヤ３３の支持位置を、インナーワイヤ３１のワイヤ支持ピン２０への掛着部に対してワイヤ支持ピン２０の基部側に偏位させて、前記操作レバー７の回動操作により、インナーワイヤ３１を動作させて、作業部の調節を行うので、ワイヤ支持ピン２０にインナーワイヤ３１の抜け止め対策を何ら必要とせず、コストダウンをより顕著に図ることができるものである。
【００１９】
更に、前記コ字状ブラケット２３の頂部と前記レバー支持ピン２２との間に張設した弾機（戻しスプリング３０）の外径がワイヤ支持ピン２０の先端を覆うようになるため、上記インナーワイヤ３１の抜け止め効果を助長するものである。
【図面の簡単な説明】
【図１】本願発明装置を備えた乗用田植機の全体平面図である。
【図２】本願要部の正面図である。
【図３】同じく要部の平面図である。
【図４】同じく要部の側面図である。
【図５】乗用田植機本機側の要部の正面図である。
【符号の説明】
１    走行機体
２    田植装置
７    操作レバー
１３  フロート
２０  ワイヤ支持ピン
２１  機枠
２２  レバー支持ピン
２２ａ  レバー支持ピン先端
２３  コ字状ブラケット
２４  片側中途部
２６  長孔
２８  レバーガイド
２９  設定溝
３０  戻しスプリング
３１  インナーワイヤ
３３  アウターワイヤ
３４  アウター受け
３６  回動案内溝
Ａ    操作レバーの設定溝方向への移動範囲
Ｂ    操作レバーの回動操作時におけるコ字状ブラケットの支持ピンに接する外端と支持ピン先端との距離
【図１】
0004249404.tif 000002
【図２】
0004249404.tif 000003
【図３】
0004249404.tif 000004
【図４】
0004249404.tif 000005
【図５】
0004249404.tif 000006